(57)【要約】【課題】簡易な操作で地図内の地点の属性を変更することが可能な情報処理装置を提供する。【解決手段】地図と、地図内の地点の属性として設定すべき地点属性が各々に割り当てられた一又は複数の機能ボタンと、を一の表示画面内に表示するディスプレイ１と、機能ボタンのいずれかを選択するための操作を受け付けた後に、ディスプレイ１に表示されている地図内の地点を選択する操作を受け付けるタッチパネル２と、地点の選択操作により選択された地点の属性を、先に選択された機能ボタンに割り当てられている地点属性に変更するＣＰＵ４と、を備える。【選択図】図２
2014154025.tif 000002
【特許請求の範囲】
【請求項１】
地図と、当該地図内の地点の属性として設定すべき地点属性が各々に割り当てられた一又は複数の操作部と、を一の表示画面内に表示する表示手段と、
前記操作部のいずれかを選択するための操作部選択操作を受け付ける第１受付手段と、
前記第１受付手段により前記操作部選択操作を受け付けた後、前記表示されている地図内の地点を選択する地点選択操作を受け付ける第２受付手段と、
前記受け付けられた地点選択操作により選択された前記地点の属性を、前記受け付けられた操作部選択操作により選択された前記操作部に割り当てられている前記地点属性に変更する属性変更手段と、
を備えることを特徴とする情報処理装置。
【請求項２】
請求項１に記載の情報処理装置において、
前記第２受付手段は、一の前記操作部を選択するための前記操作部選択操作である第１操作部選択操作を受け付けてから他の前記操作部を選択するための他の前記操作部選択操作を受け付けるまでの間に実行された一又は複数の前記地点選択操作を受け付け、
前記属性変更手段は、前記受け付けられた地点選択操作により選択された前記地点の属性を、前記受け付けられた第１操作部選択操作により選択された前記操作部に割り当てられている前記地点属性に変更することを特徴とする情報処理装置。
【請求項３】
請求項１又は請求項２に記載の情報処理装置において、
前記第１受付手段及び前記第２受付手段は、前記表示画面の表面に設けられたタッチ式入力手段を備え、
前記第２受付手段は、前記操作部選択操作により選択された前記操作部の前記表示画面内の位置から前記地点選択操作により選択されるべき前記地点の当該表示画面内の位置までの前記タッチ式入力手段を用いたドラッグアンドドロップ操作として、前記地点選択操作を受け付けることを特徴とする情報処理装置。
【請求項４】
請求項１から請求項３のいずれか一項に記載の情報処理装置において、
前記表示手段は、前記地点選択操作が有効に実行され得る前記地図の縮尺として予め設定された閾値縮尺又は当該閾値縮尺より大きい縮尺の前記地図が表示されている場合のみ、前記操作部を表示することを特徴とする情報処理装置。
【請求項５】
情報処理装置において実行される情報処理方法において、
地図と、当該地図内の地点の属性として設定すべき地点属性が各々に割り当てられた一又は複数の操作部と、を一の表示画面内に表示する表示工程と、
前記操作部のいずれかを選択するための操作部選択操作を受け付ける第１受付工程と、
前記第１受付工程において前記操作部選択操作を受け付けた後、前記表示されている地図内の地点を選択する地点選択操作を受け付ける第２受付工程と、
前記受け付けられた地点選択操作により選択された前記地点の属性を、前記受け付けられた操作部選択操作により選択された前記操作部に割り当てられている前記地点属性に変更する属性変更工程と、
を含むことを特徴とする情報処理方法。
【請求項６】
情報処理装置に含まれるコンピュータを、
地図と、当該地図内の地点の属性として設定すべき地点属性が各々に割り当てられた一又は複数の操作部と、を一の表示画面内に表示する表示手段、
前記操作部のいずれかを選択するための操作部選択操作を受け付ける第１受付手段、
前記操作部選択操作を受け付けた後、前記表示されている地図内の地点を選択する地点選択操作を受け付ける第２受付手段、及び、
前記受け付けられた地点選択操作により選択された前記地点の属性を、前記受け付けられた操作部選択操作により選択された前記操作部に割り当てられている前記地点属性に変更する属性変更手段、
として機能させることを特徴とする情報処理用プログラム。
【発明の詳細な説明】
【技術分野】
【０００１】
本願は、情報処理装置、情報処理方法及び情報処理用プログラムの技術分野に属する。より詳細には、例えば車両又は人等の移動体の移動を案内するための地図等を表示する情報処理装置及び情報処理方法、並びに当該情報処理装置用のプログラムの技術分野に属する。
【背景技術】
【０００２】
近年、例えば車両に搭載されてその移動を案内するナビゲーション装置が広く一般化している。一般的にナビゲーション装置においては、出発地から目的地までの経路に沿った案内を、地図等を表示しながら行う。このとき上記出発地及び目的地、更には上記目的地に到達するまでに立ち寄るべき立寄地は、その使用者（運転者等）により選択されるものである。そしてこのような出発地等を選択する手法については、従来から種々提案されている。
【０００３】
また、例えば目的地までに複数の地点に立ち寄りたいといった場合、これら複数の立寄地についても、上記目的地等と同様に使用者（運転者等）により選択される。そして、これら出発地等が全て選択されたのちに、目的地までの経路の探索処理等が開始されることになる。このように出発地等を複数選択するための従来の技術は、例えば下記特許文献１に開示されている。この特許文献１に記載されている技術では、表示されている地図上において上記目的地等を複数選択する場合、選択対象たる地図上の地点を表示画面の中央に位置させ、その上でその地点について目的地又は立寄地等としての必要な情報を入力することとされている。
【先行技術文献】
【特許文献】
【０００４】
【特許文献１】特開平９−１２６８０１号公報
【発明の概要】
【発明が解決しようとする課題】
【０００５】
しかしながら、上記特許文献１に記載されている技術の場合、例えば目的地までの経路上において複数の立寄地を選択する際には、立寄地となる地図上の地点の、表示画面の中央への位置変更操作、及び当該位置変更操作後の立寄地として必要な情報の入力操作、の二つが、各立寄地のそれぞれについて必要となる。そしてこのような特許文献１に記載されている技術では、目的地までの立寄地の数が多い場合には、各立寄地の選択のための操作が膨大となり、煩に堪えないことになるといった問題点があった。
【０００６】
そこで本願は、上記の問題点に鑑みて為されたものであり、その課題の一例は、簡易な操作で地図内の地点の属性を例えば立寄地等に変更することが可能な情報処理装置及び情報処理方法、並びに当該情報処理装置用のプログラムを提供することにある。
【課題を解決するための手段】
【０００７】
上記の課題を解決するために、請求項１に記載の発明は、地図と、当該地図内の地点の属性として設定すべき地点属性が各々に割り当てられた一又は複数の操作部と、を一の表示画面内に表示する表示手段と、前記操作部のいずれかを選択するための操作部選択操作を受け付ける第１受付手段と、前記第１受付手段により前記操作部選択操作を受け付けた後、前記表示されている地図内の地点を選択する地点選択操作を受け付ける第２受付手段と、前記受け付けられた地点選択操作により選択された前記地点の属性を、前記受け付けられた操作部選択操作により選択された前記操作部に割り当てられている前記地点属性に変更する属性変更手段と、を備える。
【０００８】
上記の課題を解決するために、請求項５に記載の発明は、情報処理装置において実行される情報処理方法において、地図と、当該地図内の地点の属性として設定すべき地点属性が各々に割り当てられた一又は複数の操作部と、を一の表示画面内に表示する表示工程と、前記操作部のいずれかを選択するための操作部選択操作を受け付ける第１受付工程と、前記第１受付工程において前記操作部選択操作を受け付けた後、前記表示されている地図内の地点を選択する地点選択操作を受け付ける第２受付工程と、前記受け付けられた地点選択操作により選択された前記地点の属性を、前記受け付けられた操作部選択操作により選択された前記操作部に割り当てられている前記地点属性に変更する属性変更工程と、を含む。
【０００９】
上記の課題を解決するために、請求項６に記載の発明は、情報処理装置に含まれるコンピュータを、地図と、当該地図内の地点の属性として設定すべき地点属性が各々に割り当てられた一又は複数の操作部と、を一の表示画面内に表示する表示手段、前記操作部のいずれかを選択するための操作部選択操作を受け付ける第１受付手段、前記操作部選択操作を受け付けた後、前記表示されている地図内の地点を選択する地点選択操作を受け付ける第２受付手段、及び、前記受け付けられた地点選択操作により選択された前記地点の属性を、前記受け付けられた操作部選択操作により選択された前記操作部に割り当てられている前記地点属性に変更する属性変更手段、として機能させる。
【図面の簡単な説明】
【００１０】
【図１】実施形態に係る情報処理装置の概要構成を示すブロック図である。
【図２】第１実施例に係るナビゲーション装置の概要構成を示すブロック図である。
【図３】第１実施例に係る地点選択処理を示すフローチャートである。
【図４】第１実施例に係る経路設定処理を例示する図であり、（ａ）は当該経路選択処理の第１段階を例示する図であり、（ｂ）は当該経路選択処理の第２段階を例示する図であり、（ｃ）は当該経路選択処理の第３段階を例示する図である。
【図５】第２実施例に係る地図データの編集処理を例示する図であり、（ａ）は当該編集処理の第１段階を例示する図であり、（ｂ）は当該編集処理の第２段階を例示する図であり、（ｃ）は当該編集処理の第３段階を例示する図であり、（ｄ）は当該編集処理の第４段階を例示する図である。
【発明を実施するための形態】
【００１１】
次に、本願を実施するための形態について、図１を用いて説明する。なお図１は、実施形態に係る情報処理装置の概要構成を示すブロック図である。
【００１２】
図１に示すように、実施形態に係る情報処理装置Ｓは、液晶ディスプレイ等からなるディスプレイを含む表示手段１と、第１受付手段２と、第３受付手段３と、属性変更手段４と、を備えて構成されている。
【００１３】
この構成において表示手段１は、地図と、当該地図内の地点の属性として設定すべき地点属性が各々に割り当てられた一又は複数の操作部と、を一の表示画面内に表示する。
【００１４】
そして第１受付手段２は、表示画面内に表示されている操作部のいずれかを選択するための操作部選択操作を受け付ける。
【００１５】
次に第２受付手段３は、第１受付手段２により操作部選択操作を受け付けた後、表示画面内に表示されている地図内の地点を選択する地点選択操作を受け付ける。
【００１６】
これらにより属性変更手段４は、第２受付手段３により受け付けられた地点選択操作により選択された地点の属性を、第１受付手段２により受け付けられた操作部選択操作により選択された操作部に割り当てられている地点属性に変更する。
【００１７】
以上説明したように、実施形態に係る情報処理装置Ｓの動作によれば、地図と共に一の表示画面内に表示されている操作部を選択する操作部選択操作が受け付けられた後に受け付けられた地点選択操作により選択された地点の属性を、操作部選択操作により選択された操作部に割り当てられている地点属性に変更する。よって、操作部と地図とが一の表示画面内に表示されていることで、簡易な操作で地図内の地点の属性を変更することができる。
【実施例】
【００１８】
次に、上述した実施形態に対応する具体的な実施例について、図面に基づいて説明する。なお以下に説明する各実施例は、車両に搭載され、又は使用者に携帯されて当該車両又は人の移動を案内するナビゲーション装置において表示される地図内の地点の属性を変更する場合に対して、実施形態を適用した場合の実施例である。このとき以下の説明では、上記車両又は人、或いは自転車等を、適宜纏めて「移動体」と称する。
【００１９】
（１）第１実施例
初めに、実施形態に対応する第１実施例について、図２乃至図４を用いて説明する。なお、図２は第１実施例に係るナビゲーション装置の概要構成を示すブロック図であり、図３は第１実施例に係る地点選択処理を示すフローチャートであり、図４は第１実施例に係る経路設定処理を例示する図である。このとき図２及び図４では、図１に示した実施形態に係る情報処理装置Ｓにおける各構成部材に対応する実施例の構成部材それぞれについて、当該情報処理装置Ｓにおける各構成部材と同一の部材番号を用いている。
【００２０】
図２に示すように、第１実施例に係るナビゲーション装置ＮＶは、液晶ディスプレイ等からなる実施形態に係る表示手段１の一例としてのディスプレイ１と、ディスプレイ１の表面に備えられた静電式又は感圧式等の方式のタッチパネル２と、ＣＰＵ、ＲＡＭ（Random Access Memory）及びＲＯＭ（Read Only Memory）等からなる処理部４と、リモコン等からなる操作部５と、加速度センサ等の自立型センサ及びＧＰＳ（Global Positioning System）センサ並びに渋滞情報等収集用のＶＩＣＳ（Vehicle Information and Communication System）（登録商標）センサ等からなるセンサ部６と、後述する地図データ７０及び表示用データ７１等を含むデータベースを不揮発性に記録するハードディスク等からなる記録部７と、案内用の音声等を出力するスピーカ８と、により構成されている。なお記録部７には、上記地図データ７０及び表示用データ７１の他に、ナビゲーション装置ＮＶが搭載されている移動体の移動案内に必要な音声データ等のナビゲーション用データも、併せて不揮発性に記録されている。このとき図２に破線で示すように、上記ディスプレイ１及びタッチパネル２並びにＣＰＵ４により、実施形態に係る情報処理装置Ｓの一例に相当する実施例を構成している。また上記タッチパネル２が、実施形態に係る第１受付手段２及び第２受付手段３の一例、並びに本願に係る「タッチ式入力手段」の一例に、それぞれ相当する。
【００２１】
一方記録部７内の地図データ７０としては、上記案内時においてディスプレイ１に表示される地図等を描画するためのデータ及び当該地図等に含まれる地点に対応するいわゆる注記を表示するためのデータ等が記録されている。また表示用データ７１としては、第１実施例に係る後述の機能ボタンを含む操作パネル等をディスプレイ１上に表示するためのデータ等が記録されている。このとき第１実施例に係る上記機能ボタン等は、地図データ７０を用いて表示される地図と共にディスプレイ１に表示されるものである。これら地図データ７０及び表示用データ７１は、第１実施例に係る地点選択処理において、処理部４により必要に応じて記録部７から読み出され、当該地点選択処理に供される。
【００２２】
以上説明した構成において処理部４は、センサ部６及び記録部７との間のデータの入出力を制御しつつ、タッチパネル２及び操作部５を用いた使用者（運転者等）による操作に基づき、必要な情報をディスプレイ１に表示させつつ、記録部７に記録されている上記地図データ７０等を用いて、第１実施例に係る地点選択処理等を実行する。これと並行して処理部４は、センサ部６から出力されてくる現在位置データ等及び上記ナビゲーション用データに基づき、ナビゲーション装置ＮＶが搭載されている移動体の移動を案内するナビゲーション処理を実行する。
【００２３】
次に、第１実施例に係る地点選択処理について、図２乃至図４を用いて具体的に説明する。なお当該地点選択処理は、ナビゲーション装置ＮＶを用いた経路探索処理の一環として、主として上記処理部４を中心として実行される。
【００２４】
図３に示す第１実施例に係る地点選択処理は、上記ナビゲーション処理において上記経路探索処理を行う所定のタイミングが到来したときに開始される。即ち第１実施例に係る地点選択処理では、先ず所望の地図が上記地図データ７０等を用いてディスプレイ１に表示されると（ステップＳ１）、処理部４は、例えば上記経路における目的地としての地点を検索するための操作が、タッチパネル２又は操作部５を用いて行われたか否かを判定する（ステップＳ２）。ステップＳ２の判定において当該操作が行われない場合（ステップＳ２；ＮＯ）、処理部４は上記ステップＳ１に戻って地図を表示したまま待機する。
【００２５】
一方、ステップＳ２の判定において地点検索のための操作が行われた場合（ステップＳ２；ＹＥＳ）、次に処理部４は、例えば検索対象たる目的地の選択方法を選ぶための所定のメニューをディスプレイ１に表示する（ステップＳ３）。このメニューに含まれる項目としては、例えば「名称検索」、「ジャンル検索」、「自宅」、「現在位置周辺検索」、「住所検索」又は「電話番号検索」等の、地点（目的地としての地点）の選択方法を示す項目となる。
【００２６】
ステップＳ３の処理により地点選択用のメニューが表示されると、次に処理部４は、表示されているメニューにおいて「現在位置周辺検索」が選択されたか否かを監視する（ステップＳ４）。ステップＳ４の監視において「現在位置周辺検索」が選択された場合（ステップＳ４；ＹＥＳ）、処理部４は、センサ部６から出力されてくる上記現在位置データにより示される現在位置を中心とした地図を、ディスプレイ１に表示する（ステップＳ５）。一方ステップＳ４の監視において、上記「現在位置周辺検索」以外の、例えば「名称検索」等の選択方法が選択された場合（ステップＳ４；ＮＯ）、処理部４はステップＳ４の判定において選択された選択方法に基づいて所望される地点の検索を行う（ステップＳ６）。その後処理部４は、当該検索された地点を中心とした地図をディスプレイ１に表示する（ステップＳ７）。
【００２７】
次に処理部４は、上記ステップＳ５又は上記ステップＳ７の処理により所望の地図がディスプレイ１に表示されている状態で、実施例に係る機能ボタンが地図と共に表示されているか否かを判定する（ステップＳ８）。
【００２８】
ここで、実施例に係る機能ボタンとは、上記ステップＳ５又は上記ステップＳ７の処理により表示されている地図上の地点を、実施例に係る探索対象たる経路上のいずれかの地点として設定する際に用いられる機能ボタンである。より具体的には、例えば図４に示すように、上記経路を形成すべき「始点（出発地）」、「終点（目的地）」及び「立寄地」にそれぞれ対応する機能（属性）が割り当てられている始点ボタンＢＳ、終点ボタンＢＧ及び立寄地ボタンＢＴの機能ボタンが、地図ＭＰが表示されているディスプレイ１の領域以外の領域に、操作パネルＰＬ１として地図ＭＰと共に纏めて表示される。このとき、始点ボタンＢＳ、終点ボタンＢＧ及び立寄地ボタンＢＴはそれぞれ、それらの表示位置に対応するタッチパネル２の位置を表面からタッチすることにより選択可能に、且つタッチしたままいわゆるドラッグアンドドロップ操作が可能に表示される。なお以下の説明において、始点ボタンＢＳ、終点ボタンＢＧ及び立寄地ボタンＢＴに共通の事項を説明する場合には、適宜単に「機能ボタン」と称する。
【００２９】
ステップＳ８の判定において、機能ボタンが地図ＭＰと共にディスプレイ１に表示されている場合（ステップＳ８；ＹＥＳ）において、いずれかの機能ボタンがタッチパネル２の操作により選択され（ステップＳ９）、更にその選択された機能ボタンについてドラッグ操作が実行されたことが処理部４により検出されると（ステップＳ１０）、次に処理部４は、ドラッグ操作が実行されている機能ボタンについてドロップ操作が実行されたか否かを監視する（ステップＳ１１）。ステップＳ１１の監視においてドロップ操作が実行されずにドラッグ操作中である場合（ステップＳ１１；ＮＯ）、処理部４は当該ドラッグ操作に対応させてディスプレイ１上の地図ＭＰをスクロールさせ（ステップＳ１９）、その後上記ステップＳ９に戻っていずれかの機能ボタンがタッチにより選択されたことを検出し、それ以降の処理を実行する。
【００３０】
一方ステップＳ１１の監視においてドラッグ操作中の機能ボタンに対するドロップ操作が実行された場合（ステップＳ１１；ＹＥＳ）、処理部４はそのドロップ操作が実行された位置を例えばタッチパネル２上のＸ−Ｙ座標軸を用いる等して特定し（ステップＳ１２）、その位置が表示中の地図ＭＰ上のいずれかの位置であるか否かを判定する（ステップＳ１３）。ステップＳ１３の判定においてドロップ操作が実行された位置が地図ＭＰ上でない場合（ステップＳ１３；ＮＯ）、処理部４は上記ステップＳ１０に戻って更なるドラッグ操作を検出し、それ以降の処理を実行する。
【００３１】
他方ステップＳ１３の判定においてドロップ操作が実行された位置が地図ＭＰ上のいずれかの位置である場合（ステップＳ１３；ＹＥＳ）、処理部４は、当該ドロップ操作が実行された位置に相当する地図ＭＰ上の地点の属性を、ドロップ操作されていた機能ボタンに割り当てられている機能（属性）に変更する（ステップＳ１４）。より具体的に例えば、機能ボタンとしての始点ボタンＢＳがドラッグ（上記ステップＳ１０参照）アンドドロップ操作（上記ステップＳ１１；ＹＥＳ参照）された場合、そのドロップ操作された位置に相当する地図ＭＰ上の地点の属性を「始点」とする。また例えば、機能ボタンとしての立寄地ボタンＢＴがドラッグ（上記ステップＳ１０参照）アンドドロップ操作（上記ステップＳ１１；ＹＥＳ参照）された場合、そのドロップ操作された位置に相当する地図ＭＰ上の地点の属性を「立寄地」とする。
【００３２】
次に処理部４は、ステップＳ１１の監視においてドロップ操作された機能ボタンを用いた地点選択処理が継続されるか否かを、例えば同じ機能ボタンが引き続きドラッグ操作されているか否か等を検出することにより判定する（ステップＳ１５）。ステップＳ１５の判定において当該機能ボタンを用いた地点選択処理が継続される場合（ステップＳ１５；ＹＥＳ）、処理部４は上記ステップＳ１０に戻って更なるドラッグ操作を検出する。他方、ステップＳ１５の判定において同じ機能ボタンを用いた地点選択処理が継続されない場合（ステップＳ１５；ＮＯ）、処理部４は次に、現在表示されている操作パネルＰＬ１に含まれている他の機能ボタンを用いた地点選択処理が継続されるか否かを、例えば操作パネルＰＬ１に含まれている他の機能ボタンがタッチパネル２へのタッチ等により選択されたか否か等を検出することにより判定する（ステップＳ１６）。ステップＳ１６の判定において操作パネルＰＬ１に含まれている他の機能ボタンを用いた地点選択処理が実行される場合（ステップＳ１６；ＹＥＳ）、処理部４は上記ステップＳ９に戻っていずれかの機能ボタンがタッチにより選択されたことを検出し、それ以降の処理を実行する。
【００３３】
一方ステップＳ１６の判定において現在表示中の操作パネルＰＬ１に含まれている他の機能ボタンを用いた地点選択処理が実行されない場合（ステップＳ１６；ＮＯ）、処理部４は次に、他の操作パネルＰＬ１に含まれる機能ボタンを用いた操作が実行される旨が、例えば操作部５における操作により示されているか否かを判定する（ステップＳ１７）。ステップＳ１７の判定において、他の操作パネルＰＬ１に含まれる機能ボタンを用いた操作が実行される旨が示されている場合（ステップＳ１７；ＹＥＳ）、処理部４は、上記他の操作パネルＰＬ１の表示に切り換えるべく、現在表示されている操作パネルＰＬ１をディスプレイ１から消去し（ステップＳ１８）、上記ステップＳ８の判定に戻る。他方ステップＳ１７の判定において、他の操作パネルＰＬ１に含まれる機能ボタンを用いた操作が実行される旨が示されない場合（ステップＳ１７；ＮＯ）、処理部４は第１実施例に係る地点選択処理を終了して、その後の案内処理等に移行する。
【００３４】
他方上記ステップＳ８の判定において、いずれの機能ボタンもディスプレイ１に表示されていない場合（ステップＳ８；ＮＯ）、処理部４は次に、新たな操作パネルＰＬ１を表示してそれに含まれる機能ボタンに対する新たな機能の割り当てを実行する旨が、例えば操作部５における操作により示されているか否かを判定する（ステップＳ２０）。ステップＳ２０の判定において機能ボタンへの新たな機能の割り当てを実行しない場合、即ち、既存の機能ボタンとして設定されている機能を実行する場合（ステップＳ２０；ＮＯ）、処理部４は、いずれの機能ボタンを表示するかの操作を受け付け（ステップＳ２１）、当該操作に対応する新たな機能ボタンを含む新たな操作パネルＰＬ１をディスプレイ１上の地図ＭＰが表示されている領域以外の領域に地図ＭＰと共に表示し（ステップＳ２２）、その後上記ステップＳ９の処理に移行して必要な地点選択処理等を実行する。なお上記ステップＳ２１の処理において、複数の機能ボタンを同時に表示して行う処理の場合、予め設定された当該処理のための機能ボタンを纏めて含む操作パネルＰＬ１を予め用意しておき、それを選択することで、必要な機能ボタンを含む新たな操作パネルＰＬ１を纏めて選択／表示するように構成することが好ましい（ステップＳ２１、ステップＳ２２）。
【００３５】
一方上記ステップＳ２０の判定において機能ボタンへの新たな機能の割り当てを実行する場合（ステップＳ２０；ＹＥＳ）、処理部４は、いずれかの機能ボタンに対する新たな機能の割り当て処理を必要数分だけ繰り返して行う（ステップＳ２３、ステップＳ２４）。このステップＳ２３及びステップＳ２４の処理としては、例えば地図ＭＰ上の既存の地点の属性を変更（更新）する地図データ７０の編集処理を新たに行う場合、例えば、新規地点登録用の機能ボタン、既存地点の属性更新用の機能ボタン、既存地点の削除用又は閉鎖用の機能ボタン等が新たに割り当てられることになる。その後処理部４は、当該新たな機能が割り当てられた機能ボタンに係るデータを例えば表示用データ７１として新たに記録部７に記録して（ステップＳ２５）、上記ステップＳ２２の処理に移行する。
【００３６】
次に、図３を用いて説明した第１実施例に係る操作パネルＰＬ１内の各機能ボタンを用いた地点選択処理が繰り返して実行される場合のディスプレイ１における表示の変化を、図４を用いて例示しつつ説明する。
【００３７】
先ず図４（ａ）に例示するように、当該地点選択処理が実行される際のディスプレイ１には、現在位置又は検索された地点が含まれている地図ＭＰが表示されており（図３ステップＳ５又はステップＳ７参照）、更に機能ボタンとしての始点ボタンＢＳ、終点ボタンＢＧ及び立寄地ボタンＢＴを含む操作パネルＰＬ１が表示されている（図３ステップＳ８；ＹＥＳ参照）。そして、例えば始点ボタンＢＳが選択されて（図３ステップＳ９参照）、更にドラッグアンドドロップ操作されると（図３ステップＳ１０及びステップＳ１１；ＹＥＳ、並びに図４（ａ）破線矢印参照）、そのドロップ操作が実行された地図ＭＰ上の地点の属性が「始点」と変更され（図３ステップＳ１４参照）、その地点に始点を示す例えば始点マークＳＴが表示される。
【００３８】
次に図４（ａ）に例示するように、例えば終点ボタンＢＧが選択されて（図３ステップＳ９参照）、更にドラッグアンドドロップ操作されると（図３ステップＳ１０及びステップＳ１１；ＹＥＳ、並びに図４（ａ）破線矢印参照）、そのドロップ操作が実行された地図ＭＰ上の地点の属性が「終点」と変更され（図３ステップＳ１４参照）、その地点に終点を示す例えば終点マークＧが表示され、更に上記始点マークＳＴにより示される始点から上記終点マークＧにより示される終点までの経路ＲＴが一旦自動的に設定／表示される（図４（ｂ）符号「ＲＴ」参照）。
【００３９】
次に図４（ｂ）に例示するように、例えば立寄地ボタンＢＴが選択されて（図３ステップＳ９参照）、更にドラッグアンドドロップ操作されることが一又は複数回繰り返されると（図３ステップＳ１０及びステップＳ１１；ＹＥＳ、並びに図４（ｂ）破線矢印参照）、そのドロップ操作がそれぞれ実行された地図ＭＰ上の各地点の属性がそれぞれ「立寄地」と変更され（図３ステップＳ１４参照）、各地点に立寄地を示す例えば立寄地マークＴ１及び立寄地マークＴ２がそれぞれ表示され、更に各立寄地を含むような経路ＲＴが新たに設定／表示される（図４（ｃ）符号「ＲＴ」参照）。なおこのとき、各立寄地については、立寄地として選択された順番に序列が設定され、この序列に従って始点からの経路ＲＴが変更されることになる。
【００４０】
以上説明したように、第１実施例に係る地点選択処理によれば、地図ＭＰと共に一の表示画面内に表示されている機能ボタン（始点ボタンＢＳ、終点ボタンＢＧ及び立寄地ボタンＢＴ）が選択された後のドラッグアンドドロップ操作により選択された地点の属性を、当該機能ボタンに割り当てられている属性に変更するので、必要な機能ボタンと地図ＭＰとが一の表示画面内に表示されていることで、簡易な操作で地図内の地点の属性を変更することができる。
【００４１】
また図４（ｂ）及び図４（ｃ）に例示するように、例えば立寄地ボタンＢＴの選択操作を受け付けてから他の機能ボタンの選択操作を受け付けるまでの間に実行された一又は複数の地点選択操作（この場合は二つの立寄地の選択操作）により選択された地点の属性を当該立寄地と変更するので、立寄地ボタンＢＴに割り当てられている地点属性（立寄地）を用いて、一又は複数の地点の属性を一度に纏めて変更することができる。
【００４２】
更に、タッチパネル２を用いたドラッグアンドドロップ操作として地点選択操作が受け付けられるので、より簡易且つ属性の対応を確認しつつ、地点の属性を変更することができる。
【００４３】
（２）第２実施例
次に、実施形態に対応する他の実施例である第２実施例について、図５を用いて説明する。なお図５は、第２実施例に係る地図データの編集処理を例示する図である。このとき図５では、図１に示した実施形態に係る情報処理装置Ｓにおける各構成部材に対応する実施例の構成部材それぞれについて、当該情報処理装置Ｓにおける各構成部材と同一の部材番号を用いている。
【００４４】
上述した第１実施例では、経路設定時の地点選択処理に実施形態を適用した場合について説明したが、以下の説明する第２実施例では、上記第１実施例でも一部説明した、地図データ７０の編集処理における地点選択処理に実施形態を適用した場合について説明する。また第２実施例に係るナビゲーション装置の構成及び当該ナビゲーション装置における処理は、基本的には第１実施例に係るナビゲーション装置ＮＶの構成及び処理と同一であるので、以下の第２実施例では、第１実施例に係るナビゲーション装置ＮＶの構成部材についての部材番号を流用し、更に図３に示した処理についてのステップ番号を流用して、その地点選択処理を説明する。
【００４５】
図５（ａ）に例示するように、第２実施例に係る地図データ７０の編集処理における地点選択処理が実行される際のディスプレイ１には、編集対象となる地点が含まれている地図ＭＰが表示されている（図３ステップＳ５又はステップＳ７参照）。これに加えて第２実施例に係るディスプレイ１には、上記新規地点登録用の機能ボタンである新規ボタンＢＮ、既存地点に対する上記属性更新用の機能ボタンである更新ボタンＢＭ、既存地点に対する上記削除用の機能ボタンである削除ボタンＢＤ、及び既存地点に対する上記閉鎖用の機能ボタンである閉鎖ボタンＢＣを含む操作パネルＰＬ２が、表示されている（図３ステップＳ８；ＹＥＳ参照）。
【００４６】
そして、例えば新規ボタンＢＮが選択されて（図３ステップＳ９参照）、更にドラッグアンドドロップ操作されると（図３ステップＳ１０及びステップＳ１１；ＹＥＳ、並びに図５（ｂ）破線矢印参照）、そのドロップ操作が実行された地図ＭＰ上の地点の属性が「新規地点」と変更され（図３ステップＳ１４参照）、新規地点を示す例えば新規マークＮがドラッグアンドドロップ操作により選択された地点の数だけ、その選択された地点に表示される。
【００４７】
次に例えば更新ボタンＢＭが選択されて（図３ステップＳ９参照）、更にドラッグアンドドロップ操作されると（図３ステップＳ１０及びステップＳ１１；ＹＥＳ、並びに図５（ｃ）破線矢印参照）、そのドロップ操作が実行された地図ＭＰ上の地点の属性が「更新地点」と変更され（図３ステップＳ１４参照）、更新地点を示す例えば更新マークＭがドラッグアンドドロップ操作により選択された地点の数だけ、その選択された地点に表示される。
【００４８】
更に例えば削除ボタンＢＤが選択されて（図３ステップＳ９参照）、更にドラッグアンドドロップ操作されると（図３ステップＳ１０及びステップＳ１１；ＹＥＳ、並びに図５（ｄ）破線矢印参照）、そのドロップ操作が実行された地図ＭＰ上の地点の属性が「削除地点」と変更され（図３ステップＳ１４参照）、削除地点を示す例えば削除マークＤがドラッグアンドドロップ操作により選択された地点に表示される。
【００４９】
その後、図５に例示した地点選択処理の結果として変更された属性を示すデータが、例えば地図データ７０又は表示用データ７１として更新／記録されることになる。
【００５０】
以上説明したように、第２実施例に係る地点選択処理によっても、第１実施例に係る地点選択処理と同様の効果を奏することができる。
【００５１】
なお、上述した各実施例に係る操作パネルＰＬ１又は操作パネルＰＬ２の表示の有無、及び操作パネルＰＬ１又は操作パネルＰＬ２に含まれる機能ボタンの数及び種類を、同時に表示される地図ＭＰの縮尺により変更するように構成することもできる。より具体的に例えば、機能ボタンの選択操作及びドラッグアンドドロップ操作が有効に実行され得る地図ＭＰの縮尺として予め設定された閾値縮尺（例えば縮尺１／１０，０００）又はそれより大きい縮尺（例えば縮尺１／１，０００）の地図ＭＰが表示されている場合のみ、操作パネルＰＬ１又は操作パネルＰＬ２を表示するように構成することもできる。この場合には、機能ボタンの操作が有効に実行し得ないほど小縮尺の地図ＭＰが表示されているときに無意味な操作パネルＰＬ１又は操作パネルＰＬ２が表示されることを防止できると共に、当該小縮尺の地図ＭＰの表示可能領域を拡げることができることになる。
【００５２】
また上述した各実施例では、タッチパネル２を用いた各機能ボタンについてのドラッグアンドドロップ操作により必要な地点を選択してその属性を変更する場合について説明した。しかしながらこれ以外に、操作パネルＰＬ１又は操作パネルＰＬ２内の機能ボタンの選択と、その選択された機能ボタンに割り当てられた機能に対応する属性に変更されるべき地図ＭＰ上の地点の例えばタップ操作による選択と、を、それらの間にドラッグ操作を伴わずに連続して行う場合に、実施形態を適用することもできる。この場合には、選択された機能ボタンに割り当てられた機能に対応する属性に変更されるべき地点の選択を、当該機能ボタンの選択後に連続して（ドラッグ操作を伴わずに）行うことで、それら選択された地点の属性を所望の属性に連続して変更することが可能となる。
【００５３】
更に上述した各実施例では、一つのディスプレイ１を備えるナビゲーション装置ＮＶに対して実施形態を適用した場合について説明したが、これ以外に、複数のディスプレイに渡って一つの表示画面が表示される、いわゆるマルチディスプレイ方式のディスプレイを備える情報処理装置において、当該複数のディスプレイにより表示されている一の表示画面内に上記地図ＭＰ及び操作パネルＰＬ１（又は操作パネルＰＬ２）を表示して実行される地点選択処理に対して実施形態を適用することも可能である。
【００５４】
更にまた、上述した各実施例では、移動体に搭載されたナビゲーション装置ＮＶに対して実施形態を適用した場合について説明したが、これ以外に、携帯型の情報端末装置としてのナビゲーション処理における地点選択処理に対して実施形態を適用することも可能である。
【００５５】
また、図３に示したフローチャートに相当するプログラムを、フレキシブルディスク又はハードディスク等の記録媒体に記録しておき、或いはインターネット等のネットワークを介して取得しておき、これを汎用のマイクロコンピュータ等に読み出して実行することにより、当該マイクロコンピュータ等を各実施例に係る処理部４として機能させることも可能である。
【符号の説明】
【００５６】
１    表示手段（ディスプレイ）
２    第１受付手段（タッチパネル）
３    第２受付手段
４    属性変更手段（処理部）
６    センサ部
７    記録部
７０    地図データ
７１    表示用データ
Ｓ    情報処理装置
ＮＶ    ナビゲーション装置
ＭＰ    地図
ＰＬ１、ＰＬ２    操作パネル
ＢＳ    始点ボタン
ＢＧ    終点ボタン
ＢＴ    立寄地ボタン
ＢＮ    新規ボタン
ＢＭ    更新ボタン
ＢＤ    削除ボタン
ＢＣ    閉鎖ボタン
ＳＴ    始点マーク
Ｇ    終点マーク
Ｔ１、Ｔ２    立寄地マーク
Ｎ    新規マーク
Ｍ    更新マーク
Ｄ    削除マーク
ＲＴ    経路
【図１】
2014154025.tif 000003
【図２】
2014154025.tif 000004
【図３】
2014154025.tif 000005
【図４】
2014154025.tif 000006
【図５】
2014154025.tif 000007